(57)【要約】  パケットを提供する基地局と、活性化期間及びスリープ期間をそれぞれ有する不連続受信（ＤＲＸ）サイクルで上記基地局からのパケットを不連続的に受信する端末と、を含む移動通信システムにおける上記端末によるパケット受信方法を提供する。かかるパケット受信方法は、ＤＲＸサイクル長さを含むＤＲＸサービスのための構成情報を上記基地局から受信するステップと、上記基地局から１番目のパケットが受信される時点を上記ＤＲＸサイクルの開始時点として設定するステップと、上記開始時点から活性化期間の間に上記基地局からのパケットを受信するステップと、スリープ期間に転換し、次の活性化期間を待機するステップと、を具備する。
2009533940.tif 000002
【特許請求の範囲】
【請求項１】
パケットを提供する基地局と、活性化期間及びスリープ期間をそれぞれ有する不連続受信（ＤＲＸ）サイクルで前記基地局からのパケットを不連続的に受信する端末と、を含む移動通信システムにおける前記端末によるパケット受信方法であって、
ＤＲＸサイクル長さを含むＤＲＸサービスのための構成情報を前記基地局から受信するステップと、
前記基地局から１番目のパケットが受信される時点を前記ＤＲＸサイクルの開始時点として設定するステップと、
前記開始時点から活性化期間の間に前記基地局からのパケットを受信するステップと、
前記活性化期間の終了時点として定義される開始時点と、前記活性化期間の開始時点から前記ＤＲＸサイクル長さだけ離れた終了時点と、を有するスリープ期間に転換し、次の活性化期間を待機するステップと、
を具備することを特徴とする方法。
【請求項２】
前記ＤＲＸサービスのための構成情報は、前記ＤＲＸサイクル毎に受信されるパケットの個数をさらに具備することを特徴とする請求項１に記載の方法。
【請求項３】
前記スリープ期間への転換は、前記ＤＲＸサイクル毎に受信されるパケットの個数が受信された場合に決定される前記活性化期間の終了時点でなされることを特徴とする請求項２に記載の方法。
【請求項４】
前記ＤＲＸサイクルの開始時点を設定するステップは、前記基地局から受信される１番目のパケットが前記ＤＲＸサービスのためのパケットである場合に遂行されることを特徴とする請求項１に記載の方法。
【請求項５】
前記パケットは、ボイスオーバーインターネットプロトコル（ＶｏＩＰ）サービスのためのパケットであることを特徴とする請求項１に記載の方法。
【請求項６】
パケットを提供する基地局と、活性化期間及びスリープ期間をそれぞれ有する不連続受信（ＤＲＸ）サイクルで前記基地局からのパケットを不連続的に受信する端末と、を含む移動通信システムにおける前記端末によるパケット受信装置であって、
前記基地局からＤＲＸサイクル長さを含むＤＲＸサービスのための構成情報を受信する受信部と、
１番目のパケットが前記基地局から受信される時点を前記ＤＲＸサイクルの開始時点として設定し、前記受信部を制御することにより、前記開始時点から活性化期間の間に前記基地局からのパケットを受信し、前記活性化期間の終了時点として定義される開始時点と、前記活性化期間の開始時点から前記ＤＲＸサイクル長さだけ離れた終了時点と、を有するスリープ期間の間に、次の活性化期間を待機するようにする制御部と、
を具備することを特徴とする装置。
【請求項７】
前記ＤＲＸサービスのための構成情報は、前記ＤＲＸサイクル毎に受信されるパケットの個数をさらに具備することを特徴とする請求項６に記載の装置。
【請求項８】
前記制御部は、前記ＤＲＸサイクル毎に受信されるパケットの個数だけパケットが受信された場合に決定される前記活性化期間の終了時点で、前記活性化期間から前記スリープ期間への転換を制御することを特徴とする請求項７に記載の装置。
【請求項９】
前記制御部は、前記基地局から受信される１番目のパケットが前記ＤＲＸサービスのためのパケットである場合に、前記ＤＲＸサイクルの開始時点を設定することを特徴とする請求項６に記載の装置。
【請求項１０】
前記パケットは、ボイスオーバーインターネットプロトコル（ＶｏＩＰ）サービスのためのパケットであることを特徴とする請求項６に記載の装置。
【請求項１１】
パケットを提供する基地局と、活性化期間及びスリープ期間をそれぞれ有する不連続受信（ＤＲＸ）サイクルで前記基地局からのパケットを不連続的に受信する端末と、を含む移動通信システムにおける前記端末によるパケット受信方法であって、
ＤＲＸサイクル長さを含むＤＲＸサービスのための構成情報を前記基地局から受信するステップと、
前記基地局がダウンリンク制御チャネルの制御メッセージを用いてパケットを送信するか否かを決定するステップと、
前記基地局がパケットを送信すると決定される場合には、１番目のダウンリンク制御チャネルが前記基地局から受信される時点を前記ＤＲＸサイクルの開始時点として設定するステップと、
前記開始時点から活性化期間の間に前記基地局からのパケットを受信するステップと、
前記活性化期間の終了時点として定義される開始時点と、前記活性化期間の開始時点から前記ＤＲＸサイクル長さだけ離れた終了時点と、を有するスリープ期間に転換し、次の活性化期間を待機するステップと、
を具備することを特徴とする方法。
【請求項１２】
前記ＤＲＸサービスのための構成情報は、前記ＤＲＸサイクル毎に受信されるパケットの個数をさらに具備することを特徴とする請求項１１に記載の方法。
【請求項１３】
前記スリープ期間への転換は、前記ＤＲＸサイクル毎に受信されるパケットの個数だけパケットが受信された場合に決定される前記活性化期間の終了時点でなされることを特徴とする請求項１２に記載の方法。
【請求項１４】
前記ＤＲＸサイクルの開始時点を設定するステップは、前記基地局が送信したパケットが前記ＤＲＸサービスのためのパケットである場合に遂行されることを特徴とする請求項１１に記載の方法。
【請求項１５】
前記ＤＲＸサービスのためのパケットは、ボイスオーバーインターネットプロトコル（ＶｏＩＰ）サービスのためのパケットであることを特徴とする請求項１４に記載の方法。
【請求項１６】
前記ダウンリンク制御チャネルの制御メッセージは、持続的リソース割当情報を具備することを特徴とする請求項１１に記載の方法。
【請求項１７】
前記ダウンリンク制御チャネルの制御メッセージは、持続的リソースのためのリソース割当期間の情報をさらに具備することを特徴とする請求項１６に記載の方法。
【請求項１８】
パケットを提供する基地局と、活性化期間及びスリープ期間をそれぞれ有する不連続受信（ＤＲＸ）サイクルで前記基地局からのパケットを不連続的に受信する端末と、を含む移動通信システムにおける前記端末によるパケット受信装置であって、
前記基地局からＤＲＸサイクル長さを含むＤＲＸサービスのための構成情報を受信する受信部と、
前記基地局が前記受信部により受信されたダウンリンク制御チャネルの制御メッセージを用いてパケットを送信するか否かを決定し、前記基地局がパケットを送信すると決定される場合には、１番目のダウンリンク制御チャネルが前記基地局から受信される時点に関する情報を提供する制御チャネルプロセッサと、
前記提供される時点情報を用いて前記ＤＲＸサイクルの開始時点を設定し、前記受信部を制御することにより、前記開始時点から活性化期間の間に前記基地局からのパケットを受信し、前記活性化期間の終了時点として定義される開始時点と、前記活性化期間の開始時点から前記ＤＲＸサイクル長さだけ離れた終了時点と、を有するスリープ期間の間に、次の活性化期間を待機するようにする制御部と、
を具備することを特徴とする装置。
【請求項１９】
前記ＤＲＸサービスのための構成情報は、前記ＤＲＸサイクル毎に受信されるパケットの個数をさらに具備することを特徴とする請求項１８に記載の装置。
【請求項２０】
前記制御部は、前記ＤＲＸサイクル毎に受信されるパケットの個数だけパケットが受信された場合に決定される前記活性化期間の終了時点で、前記活性化期間から前記スリープ期間への転換を制御することを特徴とする請求項１９に記載の装置。
【請求項２１】
前記制御部は、前記基地局が送信したパケットがＤＲＸサービスのためのパケットである場合に、前記ＤＲＸサイクルの開始時点を設定することを特徴とする請求項１８に記載の装置。
【請求項２２】
前記ＤＲＸサービスのためのパケットは、ボイスオーバーインターネットプロトコル（ＶｏＩＰ）サービスのためのパケットであることを特徴とする請求項２１に記載の装置。
【請求項２３】
前記ダウンリンク制御チャネルの制御メッセージは、持続的送信リソース割当情報を具備することを特徴とする請求項１８に記載の装置。
【請求項２４】
前記ダウンリンク制御チャネルの制御メッセージは、前記持続的送信リソースのための送信リソース割当期間の情報をさらに具備することを特徴とする請求項２３に記載の装置。
【発明の詳細な説明】
【技術分野】
【０００１】
本発明は、不連続受信（Discontinuous Reception：以下、“ＤＲＸ”と称する。）モードを使用する移動通信システムに関し、特に、パケットを不連続的に受信するための方法及び装置に関する。
【背景技術】
【０００２】
ＵＭＴＳシステムの標準化を担当している第３世代パートナーシッププロジェクト（3rd Generation Partnership Project：以下、“３ＧＰＰ”と称する。）で議論されているロングタームエボリューション（Long Term Evolution：以下、“ＬＴＥ”と称する。）は、１００Ｍｂｐｓ程度の高速パケット基盤の通信を実現するための技術である。このために、様々な方法が論議されている。例えば、ネットワーク構成を簡素化することにより、通信経路上のノードの数を減少させる方法や無線プロトコルを無線チャネルに限りなく近接させる方法などがある。結果的に、ＬＴＥ構成が既存の４ノード構成から２ノード又は３ノード構成に変更されるものと予想される。例えば、図１に示すように、ＬＴＥ構成は、次世代ノードＢ（Evolved Node B：以下、“ＥＮＢ”と称する。）及び次世代ゲートウェイ汎用パケット無線サービスサービングノード（Evolved Gateway GPRS（General Packet Radio Service）Serving Node：以下、“ＥＧＧＳＮ”と称する。）の２ノード構成に簡素化することができる。
【０００３】
図１は、一般的なＬＴＥシステムの構成の一例を示す図である。次世代無線アクセスネットワーク（以下、“Ｅ-ＲＡＮ”と称する。）１１０及び１１２は、ＥＮＢ１２０、１２２、１２４、１２６、及び１２８とＥＧＧＳＮ１３０及び１３２との２ノード構成に簡素化される。ユーザ端末（User Equipment：以下、“ＵＥ”と称する。）１０１は、Ｅ-ＲＡＮ１１０及び１１２を介してインターネットプロトコル（Internet Protocol：以下、“ＩＰ”と称する。）ネットワーク１１４に接続する。
【０００４】
ＥＮＢ１２０、１２２、１２４、１２６、及び１２８は、既存のノードＢに対応するノードであり、無線チャネルを介してＵＥ１０１に接続される。既存のノードＢに比べて、ＥＮＢ１２０、１２２、１２４、１２６、及び１２８は、より複雑な機能を遂行する。ＬＴＥシステムにおいて、ボイスオーバーインターネットプロトコル（Voice over IP：以下、“ＶｏＩＰ”と称する。）のようなリアルタイムサービスを含む全てのユーザトラフィックは、共用チャネル（ＳＣＨ）を介してサービスされる。これは、ＵＥ１０１のステータス情報を収集し、スケジューリングを実行する装置が必要であることを意味し、ＥＮＢがこのスケジューリングを担当する。
【０００５】
ＬＴＥは、高速ダウンリンクパケットアクセス（High Speed Downlink Packet Access：ＨＳＤＰＡ）や拡張されたアップリンク専用チャネル（Enhanced uplink Dedicated Channel：Ｅ-ＤＣＨ）と同様に、ＥＮＢ１２０、１２２、１２４、１２６、及び１２８とＵＥ１０１との間でハイブリッド自動再送要求（Hybrid Automatic Repeat Request（ARQ）：以下、“ＨＡＲＱ”と称する。）を遂行する。上記ＨＡＲＱは、事前に受信されたデータを廃棄することなく、この事前に受信されたデータと再送信されたデータとをソフトコンバイニングすることにより、受信成功率を増加させる方式である。しかしながら、ＬＴＥシステムは、ＨＡＲＱ方式だけでは、様々なサービス品質（Quality of Service：ＱｏＳ）の要求を満たすことができない。したがって、別個のＡＲＱ（すなわち、ｏｕｔｅｒ-ＡＲＱ）は、上位レイヤーで遂行されることができ、上記別個のＡＲＱは、ＵＥとＥＮＢとの間でも遂行される。最大１００Ｍｂｐｓの送信速度を実現するために、ＬＴＥは、２０ＭＨｚの帯域幅で直交周波数分割多重化（Orthogonal Frequency Division Multiplexing：ＯＦＤＭ）方式を無線接続技術として使用するものと予想される。また、端末のチャネル状態に従って変調方式とチャネル符号化率とを決定する適応変調符号化（Adaptive Modulation & Coding：ＡＭＣ）方式をＬＴＥに適用することができる。
【０００６】
一般的に、ＤＲＸモードは、アイドル状態にある端末の待機時間を増加させるために使用される。すなわち、端末は、特定の時間にページングのためにスリープモードから目覚め、特定の期間の間に、特定のチャネルをモニタリングした後に、スリープモードに復帰する動作を繰り返す。一般的な移動通信システムにおけるＤＲＸについては、図２を参照して説明する。
【０００７】
図２を参照すると、端末（すなわち、ＵＥ）及び基地局（すなわち、Ｎｏｄｅ Ｂ）は、予めＤＲＸ構成について合意し、このＤＲＸ構成に従って、スリープ期間２４０及び活性化期間２３５を繰り返す。スリープ期間２４０は、端末が受信器をターンオフすることにより、電力消費を最小化する期間を意味し、活性化期間２３５は、端末が受信器をターンオンすることにより、正常の受信動作を遂行する期間を意味する。活性化期間２３５は、ウェイクアップ期間（wake-up period）としても知られており、本明細書において、‘活性化期間’及び‘ウェイクアップ期間’は、同義語として使用される。
【０００８】
ＤＲＸは、端末及び基地局がＤＲＸサイクルを認識することにより可能である。ＤＲＸサイクル２４５は、活性化期間２３５及びスリープ期間２４０を含む。１つのＤＲＸサイクルにおいて、活性化期間は、スリープ期間に先行し、ＤＲＸサイクルは、次のような要素により規定される。
【０００９】
ＤＲＸサイクル長さ２１０及び２２０は、連続した活性化期間と活性化期間との間の距離を意味する。ＤＲＸサイクル２４５が活性化期間２３５とともに開始されるため、ＤＲＸサイクル長さ２１０及び２２０は、連続した活性化期間の間の距離を意味する。ＤＲＸサイクル長さ２１０及び２２０の増加は、スリープ期間２４０の増加及び端末の電力消費の減少に役立つ。しかしながら、ＤＲＸサイクル長さの増加は、端末に対する呼出し遅延を不可避的に増加させる。ＤＲＸサイクル長さは、ネットワークによりシグナリングされる。
【００１０】
ＤＲＸサイクルの開始時点（すなわち、開始位置）は、活性化期間２３５の開始時点であり、通常、端末の固有識別子及びＤＲＸサイクル長さから導かれる。例えば、ＤＲＸサイクル長さを有する端末の識別子に対するモジュラー又はｍｏｄ演算を遂行することにより得られた値は、ＤＲＸサイクルの開始時点として使用されることができる。図２において、ＤＲＸサイクルの開始時点は、時点２０５、２１５、及び２２５にすることができる。
【００１１】
活性化期間の長さ２３５は、端末が一回の活性化期間の間にウェイクアップしている期間の長さであり、通常、特定の値は、活性化期間の長さ２３５として使用される。例えば、ＵＭＴＳ通信システムにおいて、活性化期間の長さは、１０ｍｓｅｃである。
【００１２】
スリープ期間の長さ２４０は、ＤＲＸサイクル２４５から活性化期間２３５を除いた残りの期間の長さである。
【００１３】
端末は、自身の識別子及びＤＲＸサイクル長さを使用してＤＲＸサイクルの開始時点を計算し（２３０を参照）、活性化期間の間に、ＤＲＸサイクル開始時点でダウンリンク信号を受信する。この受信されたダウンリンク信号に所望の情報がない場合には、端末は、受信器をターンオフし、スリープ期間に進入する。
【００１４】
ＬＴＥでは、接続状態にある端末に対しても、ＤＲＸを導入する方式が論議されており、接続状態の端末のＤＲＸが駆動されているサービスの特性を考慮して構成されなければならないことは、当該技術分野における通常の知識を有する者には自明である。
【００１５】
しかしながら、周期的にウェイクアップし、特定の期間の間に所定のチャネルをモニタリングする従来のＤＲＸは、接続状態の端末には向かない。例えば、ＶｏＩＰサービスの場合、遅延に敏感なサービスであるため、ＤＲＸ開始時点を予め定めることは、サービス品質を低下させることがある。この理由については、図３を参照して説明する。
【００１６】
図３は、ＬＴＥシステムで適用される従来の端末のＤＲＸ動作を示す図である。特に、図３は、ノードＢから受信されるタイミング図及び端末のＤＲＸサイクルに対するタイミング図を示す。従来のように、ＤＲＸサイクルの開始時点が端末の識別子のようなスタティック情報に基づいて決定される場合には、ＤＲＸサイクルの開始時点は、データがノードＢに到着する時間に関係なく決定される。
【００１７】
具体的に、ＶｏＩＰパケットが任意の時点３０５でノードＢに到着する場合には、ＶｏＩＰパケットは、次の活性化期間３３０が開始するまで送信できない。したがって、ノードＢは、次の活性化期間３３０の開始時点３１０までＶｏＩＰパケットをバッファリングする。その結果、送信遅延は、バッファリング時間３１５だけ増加する。
【００１８】
ダウンリンクＶｏＩＰパケットは、有／無線網を介して送信されるので、ＶｏＩＰパケットが若干のジッターをもって基地局に到着することがある。一方で、ＶｏＩＰサービスの特性によると、ＶｏＩＰパケットの到着間隔時間（Inter-arrival Time）は、大きい誤差がなくても、大体２０ｍｓｅｃ又は１６０ｍｓｅｃである。したがって、ＶｏＩＰサービスのように、遅延に敏感であり、一定の到着間隔時間を有するサービスに対して、従来のＤＲＸ受信動作は、送信遅延が増加する。それ故に、新たなＤＲＸ受信動作が必要とされている。
【発明の開示】
【発明が解決しようとする課題】
【００１９】
したがって、本発明は、上述した従来技術の問題点を解決するために提案されたものであり、その目的は、ＤＲＸモードをサポートする移動通信システムにおけるパケットを効率的に受信する方法及び装置を提供することにある。
【００２０】
本発明の他の目的は、ＤＲＸモードをサポートする移動通信システムにおける送信遅延を減少させることができるパケット受信方法及び装置を提供することにある。
【００２１】
本発明のまた他の目的は、ＤＲＸモードをサポートする移動通信システムにおけるサービス品質の低下を防止することができるパケット受信方法及び装置を提供することにある。
【課題を解決するための手段】
【００２２】
上記のような目的を達成するために、本発明の一態様によれば、パケットを提供する基地局と、活性化期間及びスリープ期間をそれぞれ有する不連続受信（ＤＲＸ）サイクルで上記基地局からのパケットを不連続的に受信する端末と、を含む移動通信システムにおける上記端末によるパケット受信方法を提供する。かかるパケット受信方法は、ＤＲＸサイクル長さを含むＤＲＸサービスのための構成情報を上記基地局から受信するステップと、上記基地局から１番目のパケットが受信される時点を上記ＤＲＸサイクルの開始時点として設定するステップと、上記開始時点から活性化期間の間に上記基地局からのパケットを受信するステップと、上記活性化期間の終了時点として定義される開始時点と、上記活性化期間の開始時点から上記ＤＲＸサイクル長さだけ離れた終了時点と、を有するスリープ期間に転換し、次の活性化期間を待機するステップと、を具備することを特徴とする。
【００２３】
本発明の他の態様によれば、パケットを提供する基地局と、活性化期間及びスリープ期間をそれぞれ有する不連続受信（ＤＲＸ）サイクルで上記基地局からのパケットを不連続的に受信する端末と、を含む移動通信システムにおける上記端末によるパケット受信方法を提供する。かかるパケット受信方法は、ＤＲＸサイクル長さを含むＤＲＸサービスのための構成情報を上記基地局から受信するステップと、上記基地局がダウンリンク制御チャネルの制御メッセージを用いてパケットを送信するか否かを決定するステップと、上記基地局がパケットを送信すると決定される場合には、１番目のダウンリンク制御チャネルが上記基地局から受信される時点を上記ＤＲＸサイクルの開始時点として設定するステップと、上記開始時点から活性化期間の間に上記基地局からのパケットを受信するステップと、上記活性化期間の終了時点として定義される開始時点と、上記活性化期間の開始時点から上記ＤＲＸサイクル長さだけ離れた終了時点と、を有するスリープ期間に転換し、次の活性化期間を待機するステップと、を具備することを特徴とする。
【発明の効果】
【００２４】
本発明による不連続受信（ＤＲＸ）モードをサポートする移動通信システムは、ＤＲＸパケットが受信される時点で活性化期間を設定することにより、ＤＲＸサイクルによる遅延を防止することができるという長所がある。
【発明を実施するための最良の形態】
【００２５】
以下、本発明の好適な一実施形態を、添付図面を参照しつつ詳細に説明する。図面中、同一の又は類似した構成要素に対しては、異なる図面に表示されていても、可能な限り同一の符号及び番号を共通使用するものとする。下記の説明において、明瞭性と簡潔性の観点から、本発明に関連した公知の機能や構成に関する具体的な説明が本発明の要旨を不明瞭にすると判断される場合には、その詳細な説明を省略する。
【００２６】
本発明は、パケットを提供する基地局と、活性化期間及びスリープ期間をそれぞれ含む不連続受信（ＤＲＸ）サイクルで、この基地局からのパケットを不連続的に受信する端末と、を含む移動通信システム、すなわち、ＤＲＸをサポートする移動通信システムにおいて、ＶｏＩＰ（Voice over Internet Protocol）サービスのように、遅延に敏感であり、パケットの一定の到着間隔時間（Inter-arrival time）を有する特定のサービスに対して、活性化期間の開始時点をパケットの予想到着時点に設定し、それに従って、このパケットを不連続的に受信する方法及び装置を提案する。
【００２７】
本発明は、ＬＴＥシステムを例示する。しかしながら、本発明は、ＬＴＥシステムに加えて、遅延に敏感であり、パケットに対する一定の到着間隔時間を有する特定のサービスをサポートする任意の移動通信システムにも適用しうることに留意しなければならない。
【００２８】
本発明の一実施形態によると、任意のサービスに対するＤＲＸサイクルの開始時点は、対応するサービスの１番目のパケットが受信される時点である。端末がダウンリンクチャネルを継続して受信する間に、対応するサービスの１番目のパケットを受信すると、この１番目のパケットの受信時点をＤＲＸサイクルの開始時点と見なす。上述したように、ＤＲＸサイクルが活性化期間と共に開始するので、本発明において、ＤＲＸサイクルの開始時点は、活性化期間の開始時点と同一である。端末は、この識別された開始時点からＤＲＸサイクル長さだけ離れた時点を次のＤＲＸサイクル／活性化期間の開始時点と見なす。
【００２９】
端末は、活性化期間が開始されると、パケットを受信する。１つのパケット受信を完了した後には、端末は、この活性化期間が終了したと見なし、スリープモードにスイッチし、次の活性化期間が開始されるまでスリープモードを維持する。
【００３０】
活性化期間の開始時点を１番目のパケットの受信時点として定義し、活性化期間の終了時点を１つのパケット受信が成功した時点として定義し、次の活性化期間の開始時点を以前の活性化期間の開始時点からＤＲＸサイクル長さだけ離れた時点として定義することにより、端末は、ＶｏＩＰパケットのようなパケットの受信に付加される遅延を最小にしつつ、スリープ期間の長さを最大にすることができる。
【００３１】
図４は、本発明の第１の実施形態によるＤＲＸ受信動作に対するタイミングの例を示す図である。本発明で提案するＤＲＸを使用するために、ユーザ平面を設定する。このユーザ平面の設定は、遅延に敏感であり、トラフィックの到着間隔時間が知られている任意のサービスのための設定に限定される。このユーザ平面の設定は、本発明の要旨とは関係ないので、ここでは、詳細な説明を省略する。ＤＲＸがサービス別に独立して構成されると仮定する。
【００３２】
図４を参照すると、端末及びネットワーク（すなわち、基地局）は、端末にこのサービスのトラフィックを送受信するために時点４０５でユーザ平面を設定する。ユーザ平面の設定の間に、ＤＲＸ動作のために使用されるＤＲＸサイクル長さ４２０及び４３０と、１つのＤＲＸサイクルの間に送信されるパケットの数とが端末にシグナリングされる。
【００３３】
ユーザ平面が設定されると、端末は、このユーザ平面を介して送信されるトラフィックに対するＤＲＸサイクル／活性化期間の開始時点を探すために、時点４１０でダウンリンク共通制御チャネルを継続してモニタリングする。
【００３４】
ロングタームエボリューション（ＬＴＥ）システムのように、基地局が送信リソースをスケジューリングする通信システムは、パケットを端末に送信する前に、まず、パケットデコーディングに必要な制御情報４６０を端末に送信する。制御情報４６０は、端末が認識しているダウンリンク共通制御チャネルを介して送信される。
【００３５】
時点４１５で、端末が制御情報４６０を受信し、ダウンリンク共通制御チャネルを介して自身に送信されるパケットがあることを確認する場合には、端末は、ダウンリンクトラフィックチャネルを介してパケットを受信する。このパケットの受信は、特定のハイブリッド自動再送要求（ＨＡＲＱ）過程を介して遂行される。言い換えれば、ダウンリンク初期送信パケット４４０を受信すると、端末は、このパケットにエラーがあるか否かを確認し、エラーがある場合には、再送信要請を基地局に送信する。端末は、基地局が再送信したパケット４４５と前に受信したパケット４４０とをソフトコンバイニングした後に、残っているエラーがあるか否かを確認し、エラーが残っている場合には、再送信要請を基地局に送信する。端末は、パケットにエラーがなくなるまで、上述した過程を繰り返す。
【００３６】
このパケット受信に成功した後に、端末は、このパケットがＤＲＸサービスのパケットであるか否かを確認し、このパケットがＤＲＸサービスパケットである場合には、端末は、このパケットに関する制御情報４６０が最初に送信された時点４６５を、ＤＲＸサービスの活性化期間の開始時点として認識する。
【００３７】
基地局及び端末は、１つのＤＲＸサイクル４２０及び４３０の間に送受信されるパケットの個数に予め同意する。通常のＶｏＩＰサービスの場合には、１つのパケットは、１つのＤＲＸサイクルの間に送受信される。したがって、ＤＲＸ基盤のＶｏＩＰサービスである場合には、１つのＤＲＸサイクルの間に送受信されるパケットの個数は、１である。端末が活性化期間４３５の間に１つのパケット受信に成功すると、端末は、活性化期間が終了した後に、次の活性化期間が開始するまでスリープモードを維持する。次の活性化期間の開始時点は、前の活性化期間の開始時点からＤＲＸサイクルだけ離れた時点４２５である。
【００３８】
図５は、本発明の第１の実施形態によるＤＲＸ受信動作の例を示すフローチャートである。端末は、ステップ５０５で、基地局からシグナリングされた任意のサービスに関するＤＲＸ構成情報を受信する。このＤＲＸ構成情報は、ＤＲＸサイクル長さと、ＤＲＸサイクル毎に受信されるパケットの個数と、その他情報とを含む。端末は、ステップ５１０で、自身に送信されるパケットが発生するまで、ダウンリンク共通制御チャネルをモニタリングする。
【００３９】
端末は、ステップ５１５で、ダウンリンク共通制御チャネルに関する制御情報をモニタリングする過程で、自身に送信された任意のパケットがあるか否かを確認する。この制御情報を確認することにより、自身に送信されたパケットを検出すると、端末は、ステップ５２０で、このダウンリンク共通制御チャネルの受信時間を格納した後に、特定のＨＡＲＱ動作を遂行することにより、自身に割り当てられたパケット受信時間でパケットを受信する。しかしながら、ステップ５１５で、自身に割り当てられたパケットが存在しない場合には、端末は、ステップ５１０に戻って、このダウンリンク共通制御チャネルを継続してモニタリングする。
【００４０】
端末は、ステップ５２５で、この受信されたパケットがＤＲＸサービスパケットであるか否かを確認する。この受信されたパケットがＤＲＸサービスパケットではない場合には、端末は、ステップ５３０で、この格納されたダウンリンク共通制御チャネルの受信時間を初期化した後に、ステップ５１０に戻って、このダウンリンク共通制御チャネルを継続してモニタリングする。
【００４１】
しかしながら、この受信されたパケットがＤＲＸサービスパケットである場合には、端末は、ステップ５３５で、この格納されたダウンリンク共通制御チャネルの受信時間をＤＲＸサイクルの開始時点として認識した後に、ステップ５４０に進み、ＤＲＸ動作を実行する。すなわち、端末は、ステップ５３５で認識されたＤＲＸサイクルの開始時点に基づいて活性化期間を開始し、活性化期間の間には、ＤＲＸサイクル毎に受信されるパケットの個数と一致するだけのパケットを受信した後に、スリープモードに転換し、次の活性化期間が開始するまで待機する。この次の活性化期間の開始時点は、以前の活性化期間の開始時点（又はＤＲＸサイクルの開始時点）からＤＲＸサイクル長さだけ離れた時点である。
【００４２】
図６は、本発明の第１の実施形態によるＤＲＸ受信動作を実行するための端末装置の構成を示すブロック図である。ＤＲＸ受信装置は、図７及び図８に示すＤＲＸ受信動作にも適用されることができる。端末６００は、逆多重化部（ＤＥ-ＭＵＸ）６０５と、ＨＡＲＱプロセッサ６１５と、受信部６３０と、ＤＲＸ制御部６２５と、制御チャネルプロセッサ６２０と、を含む。
【００４３】
受信部６３０は、ダウンリンク共通制御チャネル及びトラフィックチャネルを介して基地局から制御パケット及びデータパケットを受信し、これらを制御チャネルプロセッサ６２０及びＨＡＲＱプロセッサ６１５にそれぞれ送信する。ＤＲＸ制御部６２５の制御の下で、受信部６３０は、自身に送信されたパケットがあるか否かに従ってターンオン／ターンオフとなる。
【００４４】
制御チャネルプロセッサ６２０は、ダウンリンク共通制御チャネルを介して受信された制御情報を処理する。また、制御チャネルプロセッサ６２０は、端末に送信される制御情報の受信時間情報をＤＲＸ制御部６２５に送信する。
【００４５】
ＨＡＲＱプロセッサ６１５は、受信部６３０が特定のＨＡＲＱ動作を用いて受信するＨＡＲＱパケットを処理し、エラーのないＨＡＲＱパケットを逆多重化部６０５に送信する。
【００４６】
逆多重化部６０５は、受信されたＨＡＲＱパケットの逆多重化情報をＤＲＸ制御部６２５に報告する。この逆多重化情報は、パケットが送信される上位レイヤーに対する識別子であり、サービス毎に１つの識別子が割り当てられるので、ＤＲＸ制御部６２５は、この逆多重化情報を用いて、対応するパケットが属するサービスを識別することができる。
【００４７】
ＤＲＸ制御部６２５は、所定のスリープ期間で受信部６３０をターンオフし、活性化期間で受信部６３０をターンオンする。ＤＲＸ制御部６２５は、逆多重化部６０５から受信されたパケットの逆多重化情報と、制御チャネルプロセッサ６２０から受信されたパケットの制御情報が受信された時点情報とを用いて、ＤＲＸサイクルの開始時点を認識する。すなわち、ＤＲＸ制御部６２５は、逆多重化部６０５が伝達する逆多重化情報を用いて、活性化期間の間に受信されたパケットの個数を計数し、活性化期間の終了時点を認識した後に、受信部６３０のオン／オフを制御する。
【００４８】
次いで、本発明の第２の実施形態について説明する。第２の実施形態は、持続的送信リソース（persistent transmission resource）又は持続的リソース（persistent resource）がＶｏＩＰサービスのために使用される場合に、端末で遂行されるＤＲＸ受信動作に関連する。ここで使用される持続的送信リソースは、特定の期間で、端末のために使用されることができる特定の送信リソースを意味する。持続的送信リソースが端末に割り当てられると、基地局は、ダウンリンク共通制御チャネルを介して送信リソース情報を持続的に送信しない、という長所がある。本発明の第２の実施形態は、持続的送信リソースが最初に割り当てられる時点をＤＲＸサイクルの開始時点として定義する方法を提案する。
【００４９】
図７は、本発明の第２の実施形態によるＤＲＸ受信動作に対するタイミング図を示す。持続的送信リソースは、ダウンリンク制御チャネル７０５を介して端末に割り当てられる。例えば、任意の送信リソースＲ１が時点７１５で端末に持続的に割り当てられると、端末は、送信リソースＲ１を用いて特定のＨＡＲＱ過程を介して送信リソース割当期間ごとに１つのパケットを送信する。端末が送信リソース割当信号を解析することができるようにするために、送信リソース割当信号が受信される時点７１５と、端末がこの送信リソースを使用する時点７２５との間には、時間差ｔ１ ７２０が存在する。ｔ１ ７２０は、固定された値であり、端末により予め認識される。
【００５０】
ＶｏＩＰサービスが持続的送信リソースを用いて提供される場合には、端末は、持続的送信リソースが割り当てられるまで、期間７４０の間に、ダウンリンク制御チャネル７０５をモニタリングし、持続的送信リソースが割り当てられる時点７４５でＤＲＸサイクルの活性化期間を開始する。次の活性化期間は、ＤＲＸサイクル長さ７５０が活性化期間の開始時点７４５から経過した後に、時点７５５で開始される。
【００５１】
端末は、活性化期間の開始時点７４５及び７５５でダウンリンク制御チャネル７０５をモニタリングすることにより、持続的送信リソースが変更されたか否かを確認する。この持続的送信リソースが変更されない場合には、端末は、既存の持続的送信リソースを使用してＶｏＩＰパケットを処理する。ＶｏＩＰパケットの処理が完了すると、端末は、スリープモードに遷移した後に、次の活性化期間の開始時点までスリープモードを維持する。しかしながら、この持続的送信リソースが変更された場合には、端末は、新たな持続的送信リソースを使用してＶｏＩＰパケットを処理する。ＶｏＩＰパケットの処理が完了すると、端末は、スリープモードに遷移した後に、次の活性化期間の開始時点までスリープモードを維持する。
【００５２】
ダウンリンクの場合に、ＶｏＩＰパケットの処理の完了は、端末が特定のＨＡＲＱ過程を介したＶｏＩＰパケットの受信に成功するか、又は、限定された最大再送信数のためにＶｏＩＰパケットの受信に失敗することを意味する。アップリンクの場合に、端末が特定のＨＡＲＱ過程を介したＶｏＩＰパケットの送信に成功するか、又は、限定された最大再送信数のためにＶｏＩＰパケットの送信に失敗することを意味する。
【００５３】
図８は、本発明の第２の実施形態による端末のＤＲＸ受信動作を示すフローチャートである。端末は、ステップ８０５で、基地局からシグナリングされた任意のサービスに関するＤＲＸ構成情報を受信する。このサービスは、ＶｏＩＰサービスでもよく、このＤＲＸ構成情報は、ＤＲＸサイクル長さを含むことができる。また、持続的送信リソースがこのサービスのために使用される場合には、持続的送信リソースの送信リソース割当期間の長さ情報もともにシグナリングされる。
【００５４】
端末は、ステップ８１０で、持続的送信リソースが自身に割り当てられるまでダウンリンク共通制御チャネルをモニタリングする。ステップ８１５で、持続的送信リソースが自身に割り当てられると判定される場合には、端末は、ステップ８２０に進み、端末がこの持続的送信リソース割当情報を含んでいる制御メッセージを受信した時間をＤＲＸサイクルの開始時点として認識する。すなわち、端末がこの持続的送信リソース割当情報を含んでいる制御メッセージを受信した時間を‘ｔ’と定義する場合には、ＤＲＸサイクルの開始時点は、下記の式（１）を用いて計算される。
【００５５】
【数１】
2009533940.tif 000003
【００５６】
ステップ８２５で、端末は、割り当てられた持続的送信リソースを使用してパケットを処理する。この持続的送信リソースがアップリンク送信リソースである場合に、端末は、この持続的送信リソースを使用してアップリンクを介してパケットを送信する。この持続的送信リソースがダウンリンク送信リソースである場合に、端末は、この持続的送信リソースを使用してダウンリンクを介してパケットを受信する。
【００５７】
この後に、端末は、ステップ８３０で、このパケットの処理が完了したか否かを確認する。持続的送信リソースを使用してパケットの処理を完了すると、端末は、ステップ８３５に進み、スリープモードに遷移した後に、次のＤＲＸサイクル開始時点までスリープモードを維持する。
【００５８】
図７及び図８に示す本発明の第２の実施形態によるＤＲＸ受信動作は、図６に示した端末のパケット受信装置で同一に遂行されることができる。図６に示した端末のパケット受信装置で遂行される動作を整理すると、次の通りである。
【００５９】
例えば、受信部６３０は、ＤＲＸサイクル長さを含むＤＲＸサービスのための構成情報を基地局から受信する。ＤＲＸ制御部６２５は、１番目のパケットが基地局から受信される時点をＤＲＸサイクルの開始時点として設定する。また、ＤＲＸ制御部６２５は、受信部６３０を制御することにより、開始時点から活性化期間の間に基地局からのパケットを受信する。他方、ＤＲＸ制御部６２５は、受信部６３０を制御することにより、この活性化期間の終了時点として定義される開始時点と、この活性化期間の開始時点からこのＤＲＸサイクル長さだけ離れた終了時点と、を有するスリープ期間の間に、次の活性化期間を待機する。
【００６０】
他の例として、受信部６３０は、ＤＲＸサイクル長さを含むＤＲＸサービスのための構成情報を基地局から受信する。制御チャネルプロセッサ６２０は、基地局が受信部６３０により受信されたダウンリンク制御チャネルの制御メッセージを用いてパケットを送信するか否かを判定する。基地局がパケットを送信すると判定される場合には、制御チャネルプロセッサ６２０は、基地局から１番目のダウンリンク制御チャネルを受信した時点に関する情報を提供する。ＤＲＸ制御部６２５は、この提供された時点情報を用いてＤＲＸサイクルの開始時点を設定する。また、ＤＲＸ制御部６２５は、受信部６３０を制御し、これにより、開始時点から活性化期間の間に基地局からのパケットを受信する。他方、ＤＲＸ制御部６２５は、受信部６３０を制御することにより、この活性化期間の終了時点として定義される開始時点と、この活性化期間の開始時点からこのＤＲＸサイクル長さだけ離れた終了時点と、を有するスリープ期間の間に、次の活性化期間を待機する。
【００６１】
上述した例において、ＤＲＸサービスのための構成情報は、ＤＲＸサイクル毎に受信されるパケットの個数をさらに含むことができる。ＤＲＸ制御部６２５は、ＤＲＸサイクル毎に受信される以前のパケットの個数と一致するパケットの個数だけパケットが受信された場合に決定されるこの活性化期間の終了時点で、この活性化期間からこのスリープ期間への転換を制御することができる。ＤＲＸ制御部６２５は、基地局から受信される１番目のパケットがＤＲＸサービスのためのパケットである場合に、ＤＲＸサイクルの開始時点を設定することができる。ＤＲＸサービスのためのパケットは、ＶｏＩＰサービスのためのパケットでもよい。ダウンリンク制御チャネルの制御メッセージは、持続的送信リソース割当情報を含むことができる。また、ダウンリンク制御チャネルの制御メッセージは、持続的送信リソースのための送信リソース割当期間の情報をさらに含むことができる。
【００６２】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。例えば、本発明がＬＴＥシステムを参照して説明されたが、本発明は、別の変形なしにＤＲＸ受信動作を用いてすべての移動通信システムにも適用されることができる。
【図面の簡単な説明】
【００６３】
【図１】一般的なＬＴＥシステムの構成の一例を示す図である。
【図２】一般的な移動通信システムにおけるＤＲＸ動作を示す図である。
【図３】従来の技術による端末のＤＲＸ動作を示す図である。
【図４】本発明の第１の実施形態によるＤＲＸ動作タイミングを示す図である。
【図５】本発明の第１の実施形態によるＤＲＸ受信動作を示すフローチャートである。
【図６】本発明の第１の実施形態によるＤＲＸ動作を実行するための端末装置の構成を示すブロック図である。
【図７】本発明の第２の実施形態によるＤＲＸ動作タイミングを示す図である。
【図８】本発明の第２の実施形態によるＤＲＸ動作を示すフローチャートである。
【符号の説明】
【００６４】
４０５  ユーザ平面の設定
４１０  ダウンリンクモニタリング
４１５  受信された１番目のＶｏＩＰパケット
４２０  ＤＲＸサイクル長
【図１】
2009533940.tif 000004
【図２】
2009533940.tif 000005
【図３】
2009533940.tif 000006
【図４】
2009533940.tif 000007
【図５】
2009533940.tif 000008
【図６】
2009533940.tif 000009
【図７】
2009533940.tif 000010
【図８】
2009533940.tif 000011
【国際調査報告】
2009533940.tif 000012
2009533940.tif 000013